(57)【要約】【課題】フィルターを取付部から取り外す際に、フィルターに捕集された捕集物がフィルターの外に落下することを抑えるフィルター付送風機を提供する。【解決手段】取付部材４０は、空気が通過する開口部６０を形成する枠部４０ｂを有し、フィルター枠３８と枠部４０ｂとは着脱自在であり、取付部材４０と取付部３９とは着脱自在であり、スライド部材５１は押さえ部５１ａを含み、取付部材４０を介してフィルター３６を取付部３９に取り付けた状態において、スライド部材５１は取付部材４０に対してスライドする構成であり、スライド部材５１がスライドする場合、押さえ部５１ａの端部５１ａ１がメッシュ部３７の一部を押さえることを特徴とするフィルター付送風機。【選択図】図１４
2018054283.tif 000002
【特許請求の範囲】
【請求項１】
吸込口および吹出口を有する箱状の本体と、
前記本体内に設けられる送風手段と、
前記送風手段により前記吸込口から吸い込まれた空気が通過するフィルターと、
前記吸込口の下流側において前記本体内に固定される取付部と、
前記フィルターを前記取付部に取り付ける取付部材とを備えたフィルター付送風機であって、
前記フィルターはメッシュ部とフィルター枠とを含み、
前記フィルター枠は、前記メッシュ部の下部を固定する第１フィルター枠と、前記メッシュ部の上部を固定する第２フィルター枠とを含み、
前記フィルター枠と前記取付部材とは着脱自在であり、
前記取付部材と前記取付部とは着脱自在であり、
前記取付部材は前記吸込口と前記メッシュ部との間において空気が通過する開口部を有し、
前記取付部材を介して前記フィルターを前記取付部に取り付けた状態において、前記第１フィルター枠は前記取付部材に対してスライドせず、前記第２フィルター枠は前記取付部材の表面を前記第１フィルター枠の方向に向かってスライドする構成であり、
前記第２フィルター枠がスライドする場合、前記第２フィルター枠の上端は前記開口部の下端より下にスライドすることを特徴とするフィルター付送風機。
【請求項２】
前記第２フィルター枠に設けられる取っ手を備え、
前記取っ手に力を加えることにより、前記第２フィルター枠は前記取付部材の表面をスライドすることを特徴とする請求項１に記載のフィルター付送風機。
【請求項３】
前記取付部材に、前記第２フィルター枠と係合する突起を備え、
前記突起が前記第２フィルター枠と係合する状態において、前記第２フィルター枠の上端が前記開口部の上端より上に位置することを特徴とする請求項１または２に記載のフィルター付送風機。
【請求項４】
前記取付部材の下部に、前記吸込口から吸い込まれる空気の下流方向に伸びるメッシュ支持部を備え、
捕集物を捕集した前記メッシュ部を前記メッシュ支持部により支持することを特徴とする請求項１〜３の何れか１項に記載のフィルター付送風機。
【請求項５】
吸込口および吹出口を有する箱状の本体と、
前記本体内に設けられる送風手段と、
前記送風手段により前記吸込口から吸い込まれた空気が通過するフィルターと、
前記吸込口の下流側において前記本体内に固定される取付部と、
前記フィルターを前記取付部に取り付ける取付部材と、
スライド部材とを備えたフィルター付送風機であって、
前記フィルターはメッシュ部とフィルター枠とを含み、
前記取付部材は、空気が通過する開口部を形成する枠部を有し、
前記フィルター枠と前記枠部とは着脱自在であり、
前記取付部材と前記取付部とは着脱自在であり、
前記スライド部材は押さえ部を含み、
前記取付部材を介して前記フィルターを前記取付部に取り付けた状態において、前記スライド部材は前記取付部材に対してスライドする構成であり、
前記スライド部材がスライドする場合、前記押さえ部の端部が前記メッシュ部の一部を押さえることを特徴とするフィルター付送風機。
【請求項６】
前記取付部材は、前記枠部の近傍であって前記開口部の下流側に、受け部を有し、
前記スライド部材がスライドする場合、前記端部と前記受け部との間に前記メッシュ部の一部が挟まれることを特徴とする請求項５に記載のフィルター付送風機。
【請求項７】
前記スライド部材は、さらにスライド部および取っ手部を含み、
前記取っ手部に力を加えて、前記スライド部が前記取付部材の表面をスライドすることにより、前記スライド部材は前記取付部材に対してスライドすることを特徴とする請求項５または６に記載のフィルター付送風機。
【発明の詳細な説明】
【技術分野】
【０００１】
本発明は、フィルターを備えたフィルター付送風機に関する。
【背景技術】
【０００２】
フィルター付送風機のフィルターの従来例として、熱交換機器用のフィルターが知られている。
【０００３】
このフィルターは、熱交換機器の本体の吸込口と、本体内部の熱交換素子との間に設けられる。本体内部には、フィルターを本体に取り付けるための取付部が設けられている。
【０００４】
フィルターを取付部から取り外し、フィルターに捕集された捕集物を取り除くことで、熱交換素子の目づまりを防止することができる（例えば、特許文献１参照）。
【先行技術文献】
【特許文献】
【０００５】
【特許文献１】特開２００８−２４９２９０号公報
【発明の概要】
【発明が解決しようとする課題】
【０００６】
このような従来のフィルター付送風機においては、フィルターを取付部から取り外す際に、フィルター開口領域が吸込口に対して開いているため、捕集物がフィルターの外に落下してしまうという課題を有していた。
【０００７】
そこで本発明は、上記従来の課題を解決するものであり、フィルターを取付部から取り外す際に、フィルターに捕集された捕集物がフィルターの外に落下することを抑えるフィルター付送風機を提供することを目的とする。
【課題を解決するための手段】
【０００８】
本発明の一態様に係るフィルター付送風機は、吸込口および吹出口を有する箱状の本体と、前記本体内に設けられる送風手段と、前記送風手段により前記吸込口から吸い込まれた空気が通過するフィルターと、前記吸込口の下流側において前記本体内に固定される取付部と、前記フィルターを前記取付部に取り付ける取付部材とを備えたフィルター付送風機であって、前記フィルターはメッシュ部とフィルター枠とを含み、前記フィルター枠は、前記メッシュ部の下部を固定する第１フィルター枠と、前記メッシュ部の上部を固定する第２フィルター枠とを含み、前記フィルター枠と前記取付部材とは着脱自在であり、前記取付部材と前記取付部とは着脱自在であり、前記取付部材は前記吸込口と前記メッシュ部との間において空気が通過する開口部を有し、前記取付部材を介して前記フィルターを前記取付部に取り付けた状態において、前記第１フィルター枠は前記取付部材に対してスライドせず、前記第２フィルター枠は前記取付部材の表面を前記第１フィルター枠の方向に向かってスライドする構成であり、前記第２フィルター枠がスライドする場合、前記第２フィルター枠の上端は前記開口部の下端より下にスライドする構成としたものである。
【０００９】
本発明の他の一態様に係るフィルター付送風機は、吸込口および吹出口を有する箱状の本体と、前記本体内に設けられる送風手段と、前記送風手段により前記吸込口から吸い込まれた空気が通過するフィルターと、前記吸込口の下流側において前記本体内に固定される取付部と、前記フィルターを前記取付部に取り付ける取付部材と、スライド部材とを備えたフィルター付送風機であって、前記フィルターはメッシュ部とフィルター枠とを含み、前記取付部材は、空気が通過する開口部を形成する枠部を有し、前記フィルター枠と前記枠部とは着脱自在であり、前記取付部材と前記取付部とは着脱自在であり、前記スライド部材は押さえ部を含み、前記取付部材を介して前記フィルターを前記取付部に取り付けた状態において、前記スライド部材は前記取付部材に対してスライドする構成であり、前記スライド部材がスライドする場合、前記押さえ部の端部が前記メッシュ部の一部を押さえることとしたものである。
【００１０】
これにより所期の目的を達成するものである。
【発明の効果】
【００１１】
本発明によれば、フィルターに捕集された捕集物の落下を抑えながら、フィルターのメンテナンスを行えるフィルター付送風機を提供できる。
【図面の簡単な説明】
【００１２】
【図１】本発明の実施の形態１のフィルター付送風機の側面断面を示す構成図
【図２】同フィルター付送風機のフィルターの構成を示す斜視図
【図３】同フィルター付送風機のフィルターの側面断面を示す構成図
【図４】同フィルター付送風機のフィルターにおいて、第２フィルター枠をスライドさせた状態の側面断面を示す構成図
【図５】本発明の実施の形態２のフィルター付送風機のフィルターの構成を示す斜視図
【図６】同フィルター付送風機のフィルターの構成の他の形態を示す斜視図
【図７】本発明の実施の形態３のフィルター付送風機のフィルターの側面断面を示す構成図
【図８】本発明の実施の形態４のフィルター付送風機のフィルターの構成を示す斜視図
【図９】同フィルター付送風機のフィルターの側面断面を示す構成図
【図１０】本発明の実施の形態５のフィルター付送風機を示す斜視断面図
【図１１】同フィルター付送風機の側面断面を示す構成図
【図１２】同フィルター付送風機のフィルターの側面断面を示す構成図
【図１３】同フィルター付送風機の取付部材を示す斜視図
【図１４】他の角度から見た同取付部材を示す斜視図
【図１５】同フィルター付送風機のフィルターにおいて、スライド部材をスライドさせた状態の側面断面を示す構成図
【図１６】スライド部材をスライドさせた状態における同取付部材を示す斜視図（（ａ）ある角度から見た斜視図、（ｂ）他の角度から見た斜視図）
【発明を実施するための形態】
【００１３】
本発明の一態様に係るフィルター付送風機は、吸込口および吹出口を有する箱状の本体と、前記本体内に設けられる送風手段と、前記送風手段により前記吸込口から吸い込まれた空気が通過するフィルターと、前記吸込口の下流側において前記本体内に固定される取付部と、前記フィルターを前記取付部に取り付ける取付部材とを備えたフィルター付送風機であって、前記フィルターはメッシュ部とフィルター枠とを含み、前記フィルター枠は、前記メッシュ部の下部を固定する第１フィルター枠と、前記メッシュ部の上部を固定する第２フィルター枠とを含み、前記フィルター枠と前記取付部材とは着脱自在であり、前記取付部材と前記取付部とは着脱自在であり、前記取付部材は前記吸込口と前記メッシュ部との間において空気が通過する開口部を有し、前記取付部材を介して前記フィルターを前記取付部に取り付けた状態において、前記第１フィルター枠は前記取付部材に対してスライドせず、前記第２フィルター枠は前記取付部材の表面を前記第１フィルター枠の方向に向かってスライドする構成であり、前記第２フィルター枠がスライドする場合、前記第２フィルター枠の上端は前記開口部の下端より下にスライドするという構成を有する。
【００１４】
これにより、取付部材を介してフィルターを取付部に取り付けた状態において、フィルター枠により形成されるフィルター開口領域を取付部材の開口部に対して閉じることができるため、フィルターおよび取付部材を本体の取付部から取り外してメンテナンスを行なう際に、フィルターに捕集された捕集物の落下を抑えることができる。すなわち、フィルターに捕集された捕集物の落下を抑えながら、フィルターおよび取付部材を本体の取付部から取り外してメンテナンスを行なうことができる。
【００１５】
また、本発明の他の一態様に係るフィルター付送風機は、吸込口および吹出口を有する箱状の本体と、前記本体内に設けられる送風手段と、前記送風手段により前記吸込口から吸い込まれた空気が通過するフィルターと、前記吸込口の下流側において前記本体内に固定される取付部と、前記フィルターを前記取付部に取り付ける取付部材と、スライド部材とを備えたフィルター付送風機であって、前記フィルターはメッシュ部とフィルター枠とを含み、前記取付部材は、空気が通過する開口部を形成する枠部を有し、前記フィルター枠と前記枠部とは着脱自在であり、前記取付部材と前記取付部とは着脱自在であり、前記スライド部材は押さえ部を含み、前記取付部材を介して前記フィルターを前記取付部に取り付けた状態において、前記スライド部材は前記取付部材に対してスライドする構成であり、前記スライド部材がスライドする場合、前記押さえ部の端部が前記メッシュ部の一部を押さえることとしたものである。
【００１６】
これにより、フィルターおよび取付部材を本体の取付部から取り外してメンテナンスを行なう際に、フィルターに捕集された捕集物の落下を抑えることができる。すなわち、フィルターに捕集された捕集物の落下を抑えながら、フィルターおよび取付部材を本体の取付部から取り外してメンテナンスを行なうことができる。
【００１７】
以下、本発明の実施の形態について図面を参照しながら説明する。
【００１８】
（実施の形態１）
図１に示すように、フィルター付送風機は、箱状の本体１と、送風手段５と、フィルター６と、取付部９と、取付部材１５とを備えている。
【００１９】
本体１の第１の面には吸込口２が設けられ、第２の面には吹出口３が設けられ、第３の面には着脱自在の点検パネル４が設けられる。
【００２０】
送風手段５は、ファンとモータとを含み、本体１内部に設けられる。
【００２１】
フィルター付送風機は、例えば、建物の天井裏等に設置される。
【００２２】
送風手段５によって吸込口２から本体１内に吸い込まれた空気は、吹出口３から吹き出される。この空気の流れは気流１１で表される。吸い込まれる空気は、室外空気であっても、室内空気であってもよい。吹き出される空気は、室内へ向かう空気であっても、室外へ向かう空気であってもよい。なお、吸込口２および吹出口３にダクトを接続してもよい。
【００２３】
吸込口２の下流近傍には、本体１内部の送風手段５の保護や、吹き出される空気の浄化等を目的としてフィルター６および取付部材１５を備える。フィルター６はメッシュ部７とフィルター枠８とを含む。吸込口２から吸い込まれた空気はメッシュ部７を通過する。フィルター６は吸込口２と送風手段５との間に設けられる。
【００２４】
本体１内部にはフィルター６および取付部材１５を取り付けるための取付部９を備える。取付部９は本体１の内壁に固定される。
【００２５】
吸込口２から吸い込まれる空気とともに流れてくる虫や塵埃などをメッシュ部７により捕集する。虫や塵埃などは、捕集物１０としてメッシュ部７に溜まっていく。
【００２６】
メッシュ部７のメッシュ間隔は、塵埃を捕集するために例えば０．０１ｍｍ以上または０．１ｍｍ以上であることが望ましく、虫を捕集するために例えば１０ｍｍ以下または１ｍｍ以下が望ましい。
【００２７】
取付部材１５と取付部９とは着脱自在である。すなわち、取付部材１５は、取付部９に取り付けたり、取付部９から取り外したりすることが自在である。そして、メンテナンス時は点検パネル４を取り外した後、フィルター６と取付部材１５を取付部９から取り外し、捕集物１０を取り除くことができる構成である。
【００２８】
ここで、図２および図３に示すように、フィルター枠８は、メッシュ部７の下部を固定する第１フィルター枠８ａと、メッシュ部の上部を固定する第２フィルター枠８ｂを含む。
【００２９】
フィルター枠８と取付部材１５とは着脱自在である。すなわち、フィルター枠８は、取付部材１５に取り付けたり、取付部材１５から取り外したりすることが自在である。
【００３０】
取付部材１５は吸込口２とメッシュ部７との間において空気が通過する開口部２２を有する。
【００３１】
フィルター６および取付部材１５を取付部９に取り付けた状態であって、フィルター枠８が取付部材１５に係合している状態において、第１フィルター枠８ａは取付部材１５に対してスライドせず、第２フィルター枠８ｂは取付部材１５の表面を第１フィルター枠８ａの方向（スライド方向１８）に向かってスライドする構成である。
【００３２】
第２フィルター枠８ｂがスライドする場合、図４に示すように第２フィルター枠８ｂの上端は開口部２２の下端２２ａより下にスライドする構成である。
【００３３】
上記構成により、メンテナンスを行なう際に第２フィルター枠８ｂを開口部２２の下端２２ａより下にスライドすることで、フィルター開口領域１７を狭めることができる。このため、フィルター６および取付部材１５を取付部９から取り外してメンテナンスを行なう際に、フィルター６に捕集された捕集物１０の落下を抑えることができる。
【００３４】
なお、第２フィルター枠８ｂの下端が第１フィルター枠８ａの上端に接触する位置まで第２フィルター枠８ｂをスライドする構成としても良い。これにより、さらに確実に捕集物１０の落下を抑えることができる。
【００３５】
（実施の形態２）
図５に示すように、第２フィルター枠８ｂに設けられる取っ手１２を備え、取っ手１２に力を加えることにより、第２フィルター枠８ｂは取付部材１５の表面をスライドする構成とする。
【００３６】
上記構成により、第２フィルター枠８ｂのスライド操作を簡便に行なえるという作用を有するので、メンテナンス性を向上できるという効果を奏する。
【００３７】
なお、取っ手１２は、図５においては第２フィルター枠８ｂの上部に備えられているが、第２フィルター枠８ｂに接続されていれば、例えば図６のように第１フィルター枠８ａよりも下に備えられていても良い。この場合、下方にある取っ手１２を下に下げることにより、第２フィルター枠８ｂを下へスライドさせることができるため、さらにスライド操作を行いやすくできる。
【００３８】
なお、図６では、メッシュ部７の下部は第１フィルター枠８ａに接続され、上部は第２フィルター枠８ｂに接続されているが、メッシュ部７の側部はフィルター枠８に接続（固定）されていない構成となっている。このような構成にすることにより、第２フィルター枠８ｂのスライド動作がメッシュ部７により妨げられることを抑制できる。この結果、第２フィルター枠８ｂをスムーズにスライドすることができる。図６のメッシュ部７の側部の構成については、他の実施形態にも適用できる。ただし、この構成は１例であって、本発明を限定するものではない。
【００３９】
（実施の形態３）
図７に示すように、取付部材１５に、第２フィルター枠８ｂと係合する突起２０を備え、突起２０が第２フィルター枠８ｂと係合する状態において、第２フィルター枠８ｂの上端が開口部２２の上端２２ｂより上に位置する構成としたものである。
【００４０】
上記構成により、メンテナンス時以外に第２フィルター枠８ｂがスライドすることを抑制できるので、フィルター６の設置にずれが生じることを抑制できる。ここで、突起２０の高さ（取付部材１５から突出する長さ）は、着脱性と保持性の観点から０．５ｍｍ〜５ｍｍ程度であることが好ましく、突起２０の形状は第２フィルター枠８ｂに沿ったリブ形状のほか、円形であっても良く、また、複数設けられていても良い。
【００４１】
（実施の形態４）
図８および図９に示すように、取付部材１５の下部に、吸込口２から吸い込まれる空気の下流方向（気流１１方向）に伸びるメッシュ支持部１６を備え、捕集物１０が捕集されたメッシュ部７をメッシュ支持部１６により支持する構成とする。
【００４２】
上記構成により、捕集物１０の重みによるメッシュ部７のたるみをメッシュ支持部１６で抑制できるので、メンテナンス性を向上できる。ここで、メッシュ支持部１６の長さは、メッシュ部の深さ７ａの０．１〜２倍程度であることが好ましく、さらに０．５〜１．５倍が好ましい。
【００４３】
以下、実施の形態１〜４について、補足する。
【００４４】
フィルター付送風機は、熱交換機器用のフィルターを備えたフィルター付熱交換機器としてもよい。この場合、フィルターは、熱交換機器の本体の吸込口と、本体内部の熱交換素子との間に設けられる。そして、本体内部には、フィルターを本体に取り付けるための取付部が設けられる。
【００４５】
また、フィルター付送風機は、建物の天井裏等の空間に設置され、ダクトを介し室内の空気を換気する送風機だけではなく、室内に設けられるその他の送風機であってもよい。室内に設けられる場合は、フィルター付送風機は、吸込口２から吸い込んだ室内空気を吹出口３を介して室内へ吹き出し、空気を循環させることになる。
【００４６】
また、取付部材１５を細いフレーム形状で構成し、取付部材１５の開口部２２をなるべく大きくした形状としてもよい。開口部２２の形状は、楕円、角が丸い角形状などであってもよい。
【００４７】
実施の形態１〜４について、さらに補足する。
【００４８】
本発明の一態様に係るフィルター付送風機は、吸込口２および吹出口３を有する箱状の本体１と、本体１内に設けられる送風手段５と、送風手段５により吸込口２から吸い込まれた空気が通過するフィルター６と、吸込口２の下流側において本体１内に固定される取付部９と、フィルター６を取付部９に取り付ける取付部材１５とを備えたフィルター付送風機であって、フィルター６はメッシュ部７とフィルター枠８とを含み、フィルター枠８は、メッシュ部７の下部を固定する第１フィルター枠８ａと、メッシュ部７の上部を固定する第２フィルター枠８ｂとを含み、フィルター枠８と取付部材１５とは着脱自在であり、取付部材１５と取付部９とは着脱自在であり、取付部材１５は吸込口２とメッシュ部７との間において空気が通過する開口部２２を有し、取付部材１５を介してフィルター６を取付部９に取り付けた状態において、第１フィルター枠８ａは取付部材１５に対してスライドせず、第２フィルター枠８ｂは取付部材１５の表面を第１フィルター枠８ａの方向に向かってスライドする構成であり、第２フィルター枠８ｂがスライドする場合、第２フィルター枠８ｂの上端は開口部２２の下端２２ａより下にスライドするという構成を有する。
【００４９】
これにより、取付部材１５を介してフィルター６を取付部９に取り付けた状態において、フィルター枠８により形成されるフィルター開口領域１７を取付部材１５の開口部２２に対して閉じることができるため、フィルターおよび取付部材を本体の取付部から取り外してメンテナンスを行なう際に、フィルターに捕集された捕集物の落下を抑えることができる。すなわち、フィルターに捕集された捕集物の落下を抑えながら、フィルターおよび取付部材を本体の取付部から取り外してメンテナンスを行なうことができる。
【００５０】
また、第２フィルター枠８ｂに設けられる取っ手１２を備え、取っ手１２に力を加えることにより、第２フィルター枠８ｂは取付部材１５の表面をスライドするという構成にしてもよい。
【００５１】
これにより、第２フィルター枠のスライド操作を簡便に行なえるので、メンテナンス性を向上できる。すなわち、取っ手に力を加えることによりスムーズに第２フィルター枠をスライドさせることができるため、メンテナンス性を向上できる。
【００５２】
また、取付部材１５に、第２フィルター枠８ｂと係合する突起２０を備え、突起２０が第２フィルター枠８ｂと係合する状態において、第２フィルター枠８ｂの上端が開口部２２の上端より上に位置するという構成にしてもよい。
【００５３】
これにより、メンテナンス時以外に第２フィルター枠がスライドすることを抑制できるので、フィルターの設置にずれが生じることを抑制することができる。この結果、安定してフィルターを設置することができる。
【００５４】
また、取付部材１５の下部に、吸込口２から吸い込まれる空気の下流方向に伸びるメッシュ支持部１６を備え、捕集物を捕集したメッシュ部７をメッシュ支持部１６により支持するという構成にしてもよい。
【００５５】
これにより、捕集物の重みによるメッシュ部のたるみを抑制できる。たるまずにメッシュ部が捕集できる捕集物の量を増やすことが可能となるため、メンテナンスの頻度を減らすことができる。
【００５６】
（実施の形態５）
図１０に示すように、フィルター付送風機３０（熱交換形換気装置）は、箱形の本体３１を有する。本体３１の例えば側面には、外気吸込口３２ａ、室内空気吹出口３３ｂ、および外気吹出口３３ａが設けられている。本体の例えば下面には、室内空気吸込口３２ｂが設けられている。
【００５７】
外気吹出口３３ａは、外気吸込口３２ａまたは室内空気吹出口３３ｂが設けられた側面に対向した側面に設けられる。
【００５８】
外気吸込口３２ａ、室内空気吹出口３３ｂ、外気吹出口３３ａには、それぞれダクト（図示せず）が接続できる形状となっている。外気吸込口３２ａと室内空気吹出口３３ｂに接続したダクトは建物外壁面まで引き回して建物外の屋外空気と連通する。外気吹出口３３ａに接続したダクトは居室の天井面または壁面と連通されて室内空気と連通する。
【００５９】
送風手段３５は本体３１内に設けられている。
【００６０】
送風手段３５により吸込口（外気吸込口３２ａ）から吸い込まれた空気がフィルター３６を通過する。
【００６１】
取付部３９は、吸込口（外気吸込口３２ａ）の下流側において本体３１内に固定されている。
【００６２】
取付部材４０は、フィルター３６を取付部３９に取り付けるものである。取付部材４０と取付部３９とは着脱自在となっている。
【００６３】
図１１に示すように、本体３１の内部には、給気送風手段３５ａ、排気送風手段３５ｂ、および熱交換素子４１が設けられている。送風手段３５は、給気送風手段３５ａおよび排気送風手段３５ｂを含む。
【００６４】
フィルター付送風機３０（熱交換形換気装置）は、給気送風経路Ａおよび排気送風経路Ｂを有する。
【００６５】
給気送風経路Ａは、新鮮な屋外の空気（給気空気）を吸込口（外気吸込口３２ａ）から吸い込み、本体３１の内部の熱交換素子４１を通って吹出口（外気吹出口３３ａ）から室内に供給する経路である。
【００６６】
排気送風経路Ｂは、汚染された室内の空気（排気空気）を室内空気吸込口３２ｂから吸い込み、熱交換素子４１を通って室内空気吹出口３３ｂから室外に排気する経路である。
【００６７】
熱交換素子４１は、排気される空気の熱量を給気される空気に供給する、または、給気される空気の熱量を排気される空気の熱量に供給する、熱回収の機能を有している。熱交換素子４１は、給気送風経路Ａと排気送風経路Ｂとが交差する位置に配設される。
【００６８】
なお、図１０および図１１では、フィルター３６は、実際の形状とは異なる直方体で表している。
【００６９】
図１２に示すように、フィルター３６はメッシュ部３７とフィルター枠３８とを含む。メッシュ部３７はフィルター枠３８に取り付けられている。空気の流れは気流６１で表される。
【００７０】
図１３および図１４はメッシュ部３７を省略した図面である。
【００７１】
図１３に示すように、取付部材４０は、基部４０ａおよび枠部４０ｂを含む。
【００７２】
枠部４０ｂは、空気が通過する開口部６０を形成する。枠部４０ｂで囲まれた領域が開口部６０となっている。フィルター枠３８は外側に向かって延長するツメ３８ａを含む。枠部４０ｂは外面に凸部４０ｂ１を含む。
【００７３】
凸部４０ｂ１にツメ３８ａを引っ掛けて固定することにより、フィルター枠３８は枠部４０ｂに取り付けられている。凸部４０ｂ１からツメ３８ａを外すことにより、フィルター枠３８は枠部４０ｂから取り外すことができる。このように、フィルター枠３８と枠部４０ｂとは着脱自在となっている。
【００７４】
図１４に示すように、取付部材４０にはスライド部材５１が接続されている。スライド部材５１は押さえ部５１ａを含む。
【００７５】
図１５に示すように、取付部材４０を介してフィルター３６を取付部３９（図１０）に取り付けた状態において、スライド部材５１は取付部材４０に対してスライドする構成である。スライド部材５１がスライドする場合、押さえ部５１ａの端部５１ａ１がメッシュ部３７の一部を押さえる構成となっている。
【００７６】
このような構成によれば、フィルター３６および取付部材４０を本体３１の取付部３９から取り外してメンテナンスを行なう際に、フィルター３６に捕集された捕集物の落下を抑えることができる。すなわち、フィルター３６に捕集された捕集物の落下を抑えながら、フィルター３６および取付部材４０を本体３１の取付部３９から取り外してメンテナンスを行なうことができる。
【００７７】
なお、図１５では、メッシュ部３７の形状は実際の形状とは異なり、直方体に類似した形状で表している。メッシュ部３７は繊維からなるため、本来の形状は直方体形状ではないが、メッシュ部３７の一部が押さえられている状態を模式的に表している。
【００７８】
また、取付部材４０は、枠部４０ｂの近傍であって開口部６０の下流側に、受け部４０ｃを有し、スライド部材５１がスライドする場合、端部５１ａ１と受け部４０ｃとの間にメッシュ部３７の一部が挟まれる構成にしてもよい。
【００７９】
この構成によれば、フィルター３６および取付部材４０を本体３１の取付部３９から取り外してメンテナンスを行なう際に、フィルター３６に捕集された捕集物の落下をさらに抑えることができる。
【００８０】
また、スライド部材５１は、さらにスライド部５１ｂおよび取っ手部５１ｃを含み、取っ手部５１ｃに力を加えて、スライド部５１ｂが取付部材４０の表面をスライドすることにより、スライド部材５１は取付部材４０に対してスライドする構成としてもよい。
【００８１】
この構成によれば、スライド部材５１のスライド操作を簡便に行なえるので、メンテナンス性を向上できる。すなわち、取っ手部５１ｃに力を加えることによりスムーズにスライド部材５１をスライドさせることができるため、メンテナンス性を向上できる。
【００８２】
なお、取付部材４０に対してスライド部材５１がスライドした状態の斜視図も図１６に示しておく。図１６では、メッシュ部３７は省略してある。
【００８３】
以上、本発明に係るフィルター付送風機について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８４】
本発明に係るフィルター付送風機は、フィルターを搭載する換気扇や熱交換機器などの換気送風装置全般などにも適用可能である。
【符号の説明】
【００８５】
１    本体
２    吸込口
３    吹出口
４    点検パネル
５    送風手段
６    フィルター
７    メッシュ部
７ａ    メッシュ部の深さ
８    フィルター枠
８ａ    第１フィルター枠
８ｂ    第２フィルター枠
９    取付部
１０    捕集物
１１    気流
１２    取っ手
１５    取付部材
１６    メッシュ支持部
１７    フィルター開口領域
１８    スライド方向
２０    突起
２２    開口部
２２ａ    下端
２２ｂ    上端
３０    フィルター付送風機
３１    本体
３２ａ    外気吸込口
３２ｂ    室内空気吸込口
３３ａ    外気吹出口
３３ｂ    室内空気吹出口
３５    送風手段
３５ａ    給気送風手段
３５ｂ    排気送風手段
３６    フィルター
３７    メッシュ部
３８    フィルター枠
３８ａ    ツメ
３９    取付部
４０    取付部材
４０ａ    基部
４０ｂ    枠部
４０ｂ１    凸部
４０ｃ    受け部
４１    熱交換素子
５１    スライド部材
５１ａ    押さえ部
５１ａ１    端部
５１ｂ    スライド部
５１ｃ    取っ手部
６０    開口部
６１    気流
Ａ    給気送風経路
Ｂ    排気送風経路
【図１】
2018054283.tif 000003
【図２】
2018054283.tif 000004
【図３】
2018054283.tif 000005
【図４】
2018054283.tif 000006
【図５】
2018054283.tif 000007
【図６】
2018054283.tif 000008
【図７】
2018054283.tif 000009
【図８】
2018054283.tif 000010
【図９】
2018054283.tif 000011
【図１０】
2018054283.tif 000012
【図１１】
2018054283.tif 000013
【図１２】
2018054283.tif 000014
【図１３】
2018054283.tif 000015
【図１４】
2018054283.tif 000016
【図１５】
2018054283.tif 000017
【図１６】
2018054283.tif 000018